(57)【特許請求の範囲】
【請求項１】
マンション等の集合住宅のベランダにおける隣家間の境界部分に設置される隔て板であって、
隔て板を構成する両側枠を残して開設される開口の上端開口縁に固定される下向き凹溝を有する上部枠と、
上記開口の下端開口縁に固定される上向き凹溝を有する下部枠と、
上記両側枠の間隔よりも幅狭に形成され、上端部が上記上部枠の下向き凹溝内に嵌め込まれた状態で上方に移動された後、下端部を上記下部枠の上向き凹溝内に落とし込んで嵌め込まれる取外し可能な扉体と、
上記上部枠の下向き凹溝内に位置する上記扉体の上方移動の阻止と、移動阻止の解除が切り換え可能なロック機構と、を具備する、
ことを特徴とする扉体を備える隔て板。
【請求項２】
請求項１記載の扉体を備える隔て板において、
上記ロック機構は、上記上部枠の両側片に回動可能に装着される一対の回動板と、これら両回動板の外周部に連結される扉体固定片と、上記回動板の外面における偏心位置に突設される操作突起に係合して上記回動板と扉体固定片を上記扉体の移動阻止位置と、解除位置に切り換える工具と、を具備する、ことを特徴とする扉体を備える隔て板。
【請求項３】
請求項１又は２に記載の扉体を備える隔て板において、
上記扉体の表裏面の両側辺における上下対角位置にそれぞれ上・下取外し用穴が設けられ、上記上・下取外し用穴に工具を挿入して、扉体の取外しを可能にした、ことを特徴とする扉体を備える隔て板。
【請求項４】
請求項２又は３に記載の扉体を備える隔て板において、
上記工具は、一端に上記ロック機構の操作突起に係合する係合部を有し、他端に上記扉体の取外し用穴に挿入可能な挿入部を有する専用工具である、ことを特徴とする扉体を備える隔て板。
【請求項５】
請求項１ないし３のいずれかに記載の扉体を備える隔て板において、
上記隔て板の両側枠の中間部に装着され、上記扉体の閉塞状態においては、上記扉体の表裏面を保持し、扉体の取外し時及び取付時には、上記扉体の表裏面の保持を解除する、側枠に対して起倒可能な扉体押え金具を更に具備する、ことを特徴とする扉体を備える隔て板。
【発明の詳細な説明】
【技術分野】
【０００１】
この発明は、例えばマンションなどの集合住宅におけるベランダ等に使用される扉体を備える隔て板に関するものである。
【背景技術】
【０００２】
一般に、マンション等の集合住宅においては、プライバシー保護等のために、バルコニーやベランダ〈以下に、ベランダ等という〉における隣家間の境界部分に隔て板が設置されている。
【０００３】
この隔て板は、火災発生等の避難が必要となったとき、蹴破って避難装置のある所まで行くことができるように定められている。
【０００４】
ところが、ベランダ等の空間のメンテナンス（防水、塗装等の改修作業）が必要となったときは、隔て板を破壊する訳にはいかないので、足場に梯子のようなものを設けてベランダ手摺を乗り越える必要があるが、高所での作業のため、危険性を伴う作業となる。
【０００５】
そこで、従来では、隔て板の一部を構成する着脱部材に開口部を設け、該開口部を開閉可能な開閉部材を備える構造のものが知られている（例えば、特許文献１参照）。
【０００６】
また、別の構造として、ベランダ等の両側に立設されるレール枠材と、これらレール枠材間に設けられ、両レール枠材に沿って上下に摺動する隔て枠に嵌め込まれる仕切板を備え、隔て枠のレール枠材に接する部位に係合片を設け、レール枠材には、上記係合片と係合し、隔て枠の降下を係止する第１の係止片と、上記係合片の降下移動を止める第２の係止片とを設け、避難時には、隔て枠を上方に引き上げて上記係合片を上記第２の係止片に係合させて、隔て枠の下方に避難のための開口を形成する構造のものが知られている（例えば、特許文献２参照）。
【先行技術文献】
【特許文献】
【０００７】
【特許文献１】特開２００８−１６３５８３号公報（特許請求の範囲、図１，図５）
【特許文献２】実公平７−８６４２号公報（実用新案登録請求の範囲、図１，図２）
【発明の概要】
【発明が解決しようとする課題】
【０００８】
しかしながら、特許文献１記載の構造のものにおいては、隔て板の一部を構成する着脱部材に開口部を設け、該開口部を開閉可能な開閉部材を設けるため、ベランダ等の空間のメンテナンス（防水、塗装等の改修作業）時に形成される開口が小さく、作業通路として十分な大きさにできない問題があった。
【０００９】
また、特許文献２記載の構造のものにおいては、ベランダ等の両側に立設されるレール枠材に沿って隔て板（隔て枠、仕切板）を上下移動させることができるため、特許文献１に記載のものに比べて開口を大きく取ることができるが、隔て板（隔て枠、仕切板）の他にレール枠材を設ける必要があるため、構成部材が多くなると共に、取付作業が面倒である。また、特許文献２に記載のものにおいては、隔て板（隔て枠、仕切板）のロック手段に付いては言及されておらず、通常時にみだりに開放される虞がある。
【００１０】
この発明は、上記事情に鑑みてなされたもので、隔て板の幅のほぼ全域に開設される開口に扉体を取外し可能にはめ込み、ベランダ等の空間のメンテナンス（防水、塗装等の改修作業）等で必要な場合には、ベランダを通路として使用可能とする扉体を備える隔て板を提供する。
【課題を解決するための手段】
【００１１】
上記課題を解決するため、この発明に係る隔て板は、マンション等の集合住宅のベランダにおける隣家間の境界部分に設置される隔て板であって、隔て板を構成する両側枠を残して開設される開口の上端開口縁に固定される下向き凹溝を有する上部枠と、上記開口の下端開口縁に固定される上向き凹溝を有する下部枠と、上記両側枠の間隔よりも幅狭に形成され、上端部が上記上部枠の下向き凹溝内に嵌め込まれた状態で上方に移動された後、下端部を上記下部枠の上向き凹溝内に落とし込んで嵌め込まれる取外し可能な扉体と、上記上部枠の下向き凹溝内に位置する上記扉体の上方移動の阻止と、移動阻止の解除が切り換え可能なロック機構と、を具備する、ことを特徴とする。
【００１２】
このように構成することにより、隔て板を構成する両側枠を残して開設される開口の上下端部に固定される上部枠と下部枠との間に扉体をいわゆる「けんどん式」に嵌め込むことができ、ベランダ等の空間のメンテナンス（防水、塗装等の改修作業）時には、扉体を取り外して通路開口を確保することができる。
【００１３】
ここで、「けんどん式」とは、扉体の上端部を上部枠の下向き凹溝に嵌め込み、扉体の下端部を下部枠の上向き凹溝に嵌め落として扉体を嵌め込め、取り外す場合は、扉体の上端部を上方に移動して扉体の下端部を下部枠の上向き凹溝から外した後、扉体を斜め下方に移動して取り外す方式をいう。
【００１４】
この発明において、上記ロック機構は、上記上部枠の両側片に回動可能に装着される一対の回動板と、これら両回動板の外周部に連結される扉体固定片と、上記回動板の外面における偏心位置に突設される操作突起に係合して上記回動板と扉体固定片を上記扉体の移動阻止位置と、解除位置に切り換える工具と、を具備する構造とする方がよい。
【００１５】
このように構成することにより、回動操作によって扉体のロック状態とロック解除状態を切り換えることができる。
【００１６】
また、この発明において、上記扉体の表裏面の両側辺における上下対角位置にそれぞれ上・下取外し用穴を設け、上記上・下取外し用穴に工具を挿入して、扉体の取外しを可能にする方がよい。
【００１７】
このように構成することにより、扉体の両側辺における上下対角位置に設けられた２箇所の上・下取外し用穴に工具を挿入して、扉体を上方に移動して扉体の上端部を上部枠の下向き凹溝内に嵌め込んだ後、扉体を下方に移動して扉体の下端部を下部枠の上向き凹溝内に落とし込んで扉体を取り付けることができる。また、扉体を取り外す場合は、上記と同様に上・下取外し用穴に工具を挿入して、扉体を上方に移動して扉体の下端を下部枠の上向き凹溝の上方に移動した後、斜め下方に移動して取り外すことができる。
【００１８】
また、この発明において、上記工具は、一端に上記ロック機構の操作突起に係合する係合部を有し、他端に上記扉体の取外し用穴に挿入可能な挿入部を有する専用工具である方が好ましい。
【００１９】
このように構成することにより、１種類の工具を用いて、扉体のロック、アンロック（ロック解除）操作と、扉体の取外しを行うことができる。
【００２０】
加えて、この発明において、上記隔て板の両側枠の中間部に装着され、上記扉体の閉塞状態においては、上記扉体の表裏面を保持し、扉体の取外し時及び取付時には、上記扉体の表裏面の保持を解除する、側枠に対して起倒可能な扉体押え金具を更に具備する方が好ましい。
【００２１】
このように構成することにより、通常時において扉体の両面が扉体押え金具によって保持されるので、風圧による扉体のガタツキを抑制することができる。また、扉体押え金具を側枠側に倒すことで、開口部への突出を回避することができるので、扉体の取付（嵌め込み）、取外しに支承を来すことがない。
【発明の効果】
【００２２】
この発明によれば、上記のように構成されているので、以下のような優れた効果が得られる。
【００２３】
（１）隔て板を構成する両側枠を残して開設される開口の上下端部に固定される上部枠と下部枠との間に扉体をいわゆる「けんどん式」により落とし込んで嵌め込むことができると共に取り外すことができるので、改修作業時には、開口の全域を占める扉体を取り外して広い通路開口を確保することができる。
【００２４】
（２）ロック機構により上部枠の下向き凹溝内に位置する上記扉体の上方移動の阻止と、移動阻止の解除が切り換え可能であるので、平常時には、ロック機構をロック状態にすることで、隣家間のプライバシーの保護が図れる。また、ベランダ等の空間のメンテナンス（防水、塗装等の改修作業）時には、ロック機構をアンロック（ロック解除）状態にし、扉体を取外して作業者の通行を可能にすることができるので、メンテナンス作業を容易に行うことができる。この場合、ロック機構は、上部枠の両側片に回動可能に装着される一対の回動板の外周部に連結される扉体固定片と、回動板の外面における偏心位置に突設される操作突起に係合して回動板と扉体固定片を扉体の移動阻止位置と、解除位置に切り換える特殊な工具と、を具備することにより、扉体が不用意に開閉することがないので、更に隣家間のプライバシーの保護が図れる。
【００２５】
（３）扉体の表裏面の両側辺における上下対角位置にそれぞれ設けられた２箇所の上・下取外し用穴に工具を挿入して、扉体を上方に移動した後、斜め下方に移動して取り外すことができるので、隔て板で区画された何れの側からでも容易に扉体を取り外すことができる。
【００２６】
（４）工具は、一端に上記ロック機構の操作突起に係合する係合部を有し、他端に上記扉体の取外し用穴に挿入可能な挿入部を有する専用工具とすることにより、１種類の工具を用いて、扉体のロック、アンロック（ロック解除）操作と、扉体の取外しを行うことができるので、扉体の取付、取外しを容易にすることができる。
【００２７】
（５）隔て板の両側枠の中間部に装着される起倒可能な扉体押え金具を設けることにより、扉体の取付（嵌め込み）、取外しに支承を来すことがなく、通常時において扉体の両面を扉体押え金具によって保持することができるので、風圧による扉体のガタツキを抑制することができる。
【図面の簡単な説明】
【００２８】
【図１】この発明に係る扉体を備える隔て板の設置状態を示す正面図である。
【図２】上記隔て板の設置状態の断面図である。
【図３】上記隔て板の設置状態の一部拡大正面図（ａ）及び（ａ）のＩ部における扉押え金具の側面図（ｂ）である。
【図４】この発明における扉体のロック状態を示す断面図（ａ）及びロック解除状態を示す断面図（ｂ）である。
【図５】この発明におけるロック機構のロック状態を示す斜視図である。
【図６】上記ロック機構のロック解除状態を示す斜視図である。
【図７】この発明における扉押え金具の扉体保持状態を示す斜視図である。
【図８】上記扉押え金具の保持解除状態を示す斜視図である。
【図９】この発明における上部枠の断面図（ａ）及びこの発明における下部枠の断面図（ｂ）である。
【図１０】この発明における扉体を示す斜視図（ａ）及び（ａ）のII−II線に沿う拡大断面図（ｂ）である。
【図１０Ａ】この発明における扉体の別の例を示す斜視図（ａ）及びこの発明における縦枠の別の例を示す要部斜視図（ｂ）である。
【図１１】この発明におけるロック操作兼取外し用工具を示す斜視図である。
【図１２】扉体の取外し手順を示す概略断面図である。
【発明を実施するための形態】
【００２９】
以下に、この発明に係る隔て板の実施形態を添付図面に基づいて詳細に説明する。
【００３０】
この発明に係る隔て板１は、図１に示すように、マンション等の集合住宅のベランダ２における隣家間の境界部分の建物の躯体３とベランダ２のスラブ４に設置固定されて、隔て板１を構成する方形状に形成された一対の側枠５ａと、上部横枠５ｂ，下部横枠５ｃ及び仕切り横枠５ｄからなる枠材５と、枠材５内に嵌め込まれる例えばケイ酸カルシウムボードや、フレキシブルボード（繊維強化セメント板）のような破壊可能な材料からなる板材６と、両側枠５ａと仕切り横枠５ｄと下部横枠５ｃによって開設される開口７に着脱可能に取り付けられる扉体８とを備えている。
【００３１】
この場合、隔て板１は、図２に示すように、隔て板１を構成する両側枠５ａを残して開設される開口７の上端開口縁である仕切り横枠５ｄに固定ねじ９ａによって固定される下向き凹溝１１を有する上部枠１０と、開口７の下端開口縁に固定ねじ９ｂによって固定される上向き凹溝２１を有する下部枠２０との間に、着脱可能すなわちいわゆる「けんどん式」の落とし込みにより嵌め込まれている。
【００３２】
また、上部枠１０には、下向き凹溝１１内に位置する扉体８の上方移動の阻止（ロック状態）と、移動阻止の解除（アンロック状態）が切り換え可能なロック機構４０が設けられている。
【００３３】
更には、開口７を構成する側枠５ａの中間部には、閉塞時に風圧等による扉体８のガタツキ及びガタツキによる騒音を抑制するための扉体押え金具５０が装着されている。
【００３４】
上部枠１０は例えばアルミニウム製押出形材にて形成されており、下向き凹溝１１を構成する両側片１１ａの開口端部の内側には、狭隘開口状のパッキン嵌合溝１１ｂが形成されている。このパッキン嵌合溝１１ｂに嵌合される枠パッキン１５は、図９（ａ）に示すように、パッキン嵌合溝１１ｂに嵌合される略横Ｔ字状のパッキン基部１５ａと、パッキン基部１５ａの水平部の先端から直交状に屈曲する折曲片１５ｂと、折曲片１５ｂの下端からパッキン基部１５ａと反対側に向かって屈曲し折曲片１５ｂと平行に上方に延在するシール片１５ｃとを一体に形成する例えばエチレン酢酸ビニル共重合体（ＥＶＡ）等の合成樹脂にて形成されている。
【００３５】
下部枠２０も上部枠１０と同様に、例えばアルミニウム製押出形材にて形成されており、上向き凹溝２１を構成する両側片２１ａの開口端部の内側には、狭隘開口状のパッキン嵌合溝２１ｂが形成されている。このパッキン嵌合溝２１ｂには、上記枠パッキン１５が嵌合・固定されている（図９（ｂ）参照）。
【００３６】
上記扉体８は、板材６と同様の材料すなわち例えばケイ酸カルシウムボードや、フレキシブルボード（繊維強化セメント板）のような破壊可能な材料にて形成されており、非常時には、板材６が破壊可能に形成されている。
【００３７】
また、図１，図１０に示すように、扉体８の両側縁部には縦枠３０が装着され、縦枠３０の外側には、扉体８と側枠５ａとの隙間を塞ぐための扉パッキン３１が沿設されている。この場合、縦枠３０は例えばアルミニウム製押出形材にて形成されており、仕切壁３０ａに関して一端側にやや深めの扉嵌合溝３０ｂを有し、他端側に扉パッキン嵌合溝３０ｃを有する略断面Ｈ字状に形成されており、扉嵌合溝３０ｂの開口端には内側に向かって隆起する係止爪部３０ｄが形成されている。なお、扉嵌合溝３０ｂの開口部の両係止爪部３０ｄの間の寸法は扉体８の厚みより若干狭くなっている。このように形成される縦枠３０を扉体８の側縁部に装着するには、縦枠３０の扉嵌合溝３０ｂを扉体８の側縁部に打ち込んで両係止爪部３０ｄを押し広げるようにして縦枠３０を扉体８の側縁部に固定する。なお、ここでは、縦枠３０の扉嵌合溝３０ｂの開口部に係止爪部３０ｄを形成して開口部寸法を扉体８の厚みより狭くしているが、枠材３０に代えて図１０Ａに示すように、係止爪部３０ｄを設けずに、扉嵌合溝３０ｂを構成する両側片３０ｅの開口部に内方側に向かう屈曲部３０ｆを形成して開口寸法を扉体８の厚みより狭くした縦枠３０Ａを用いてもよい。なお、縦枠３０Ａのその他の部分は縦枠３０と同じであるので、同一部分には同一符号を付して説明は省略する。
【００３８】
また、扉体８の表裏面の両側辺における上下対角位置には、それぞれ上・下取外し用穴３２ａ，３２ｂが設けられており、上・下取外し用穴３２ａ，３２ｂに工具６０を挿入して、扉体８の取外しが可能に形成されている。この場合、上・下取外し用穴３２ａ，３２ｂは、上取外し用穴３２ａについて説明すると、図１０に示すように、扉体８の両側に装着される縦枠３０の扉嵌合溝３０ｂを構成する一方の側片３０ｅと扉体８を貫通する有底状の穴にて形成されている。このように形成される上・下取外し用穴３２ａ，３２ｂは、扉体８の表裏面において左右対称に形成されている。
【００３９】
なお、扉パッキン３１は、例えばポリエチレンフォーム（ＰＥ）又は発泡ＥＰＴ（エチレンプロピレンゴム）｛ＥＰＤＭともいう｝等の軟質の断面矩形状の部材にて形成されており、例えば両面接着テープや接着剤等によって扉パッキン嵌合溝３０ｃに嵌合・固定されている。
【００４０】
次に、ロック機構４０について、図４ないし図６及び図１１を参照して説明する。ロック機構４０は、上部枠１０の両側片１１ａに回動可能に装着される一対の回動板４１と、これら両回動板４１の外周部に連結される扉体固定片４２と、回動板４１の外面における偏心位置に突設される２個の操作突起４３に係合して回動板４１と扉体固定片４２を扉体８の移動阻止位置（以下にロック位置という）と、解除位置（以下にアンロック位置という）に切り換える工具６０と、を具備する。
【００４１】
この場合、回動板４１と扉体固定片４２とは例えばステンレス鋼製部材によって一体に形成されている。すなわち、中心に工具６０の操作軸部６３が挿入可能な貫通孔４１ａを設けた一対の円板にて形成される回動板４１の外周の一部を例えばプレス加工により屈曲して板状の扉体固定片４２が一体に形成される。なお、扉体固定片４２の一側辺部には係止片４２ａが扉体固定片４２に対して直交状に延設されている。
【００４２】
また、回動板４１は、下向き凹溝１１を構成する両側片１１ａに設けられた開口部１１ｃ内に回動可能に配設されており、回動板４１の外面側に円形に形成される回動パッキン４４を介在して回動板４１より大径円形の回動板抜け止め円板４５が図示しないねじによって固定されて上部枠１０から抜け出ないようになっている。また、回動板４１の偏心位置に突設される２個の操作突起４３は、回動板抜け止め円板４５及び回動パッキン４４を貫通して回動板４１にねじ固定されている。また、下向き凹溝１１の底部を構成する上部枠１０の上部片１１ｄには、回動板４１と共に回動する扉体固定片４２のアンロック位置を規制するための位置規制ねじ４６が上部片１１ｄにねじ結合された状態で垂下されている。このように位置規制ねじ４６を設けることによって、回動板４１と共に扉体固定片４２がロック位置から９０度回動すると、扉体固定片４２に延設された係止片４２ａの先端が位置規制ねじ４６に当接して回動板４１すなわち扉体固定片４２のアンロック位置が規制される。
【００４３】
また、上部枠１０におけるロック機構４０の取付部には回動板４１を外部から目隠しするカバー部材４７が固定ねじ９ｃによって固定されている。この場合、カバー部材４７は、回動板４１を覆う截頭円錐状の頭部４７ａと、頭部４７ａの外周に延設される略楕円形状のフランジ部４７ｂとからなるハット状に形成されており、フランジ部４７ｂを貫通する固定ねじ９ｃによって固定されている。また、頭部４７ａの頂部中心位置には、２個の操作突起４３を有する工具６０の操作軸部６３が挿通可能な鍵孔４７ｃが穿設されている。また、頭部４７ａの頂部の中心と同心円上の１箇所には窓孔４７ｄが設けられている。この窓孔４７ｄは、回動板４１と一体に回動する回動板抜け止め円板４５の同心円上に施されたロック確認用目印４８が外部から確認できるようにしたものである。
【００４４】
次に、扉体押え金具５０について、図３，図７及び図８を参照して説明する。扉体押え金具５０は、図３に示すように、側枠５ａに固定ねじ９ｄによって固定される、正面が略逆Ｔ字状で側面がハット状の支持部材５１と、この支持部材５１の円弧状支持部５１ａに回動自在に貫挿する回動軸部５２ａの両端からそれぞれ直交状に屈曲する対外に平行な押え軸部５２ｂを有する押え部材５２とで構成されている。支持部材５１と押え部材５２は、例えばステンレス鋼製部材にて形成されている。なお、扉体押え金具５０を側枠５ａに装着すると、支持部材５１の円弧状支持部５１ａが開口７内に突出するが、扉体８の両側に装着される扉パッキン３１は軟質に形成されているため、円弧状支持部５１ａ及び扉体８の押え時に回動する押え軸部５２ｂを吸収するように変形して、扉体８と側枠５ａとの隙間を十分に塞ぐことができる。
【００４５】
このように構成される扉体押え金具５０は、開口７を構成する側枠５ａの中間部に装着され、開口７内に扉体８を取り付ける際、又は開口７から扉体８を取り外す際に、図８に示すように、押え部材５２の押え軸部５２ｂを鉛直方向に回動して起立姿勢にし、扉体８の取付、取外しに支障を来さないようになっている。また、開口７内に扉体８を取り付けた後は、図３及び図７に示すように、起立姿勢にある押え部材５２の押え軸部５２ｂを水平方向に回動して水平姿勢にして、両押え軸部５２ｂを扉体８の表裏面に位置し、閉塞時に風圧等による扉体８のガタツキ及びガタツキによる騒音を抑制する。なお、この場合、扉体８の縦枠３０における扉体押え金具５０の押え軸部５２ｂが位置する部位に、例えばエチレン−プロピレンゴム（ＥＰＤＭ）製のシート状の緩衝材５３が貼着されている。これにより押え軸部５２ｂと縦枠３０とのメタルタッチを防止し、扉体８のガタツキ及びガタツキによる騒音を抑制することができる。
【００４６】
上記工具６０は、図１１に示すように、断面円形のＬ字状の基部６１の一端に、ロック機構４０の回動板４１に突設された２個の操作突起４３に係合する一対の係合部６２を対称方向に突設する略Ｔ字状の操作軸部６３を有し、基部６１の他端には、扉体８の上・下取外し用穴３２ａ，３２ｂに挿入可能な挿入部６４を有するステンレス鋼製の専用工具にて形成されている。
【００４７】
次に、上記実施形態に係る隔て板１の施工手順について説明する。まず、既設の隔て板１における両側枠５ａと、下部横枠５ｃ及び仕切り横枠５ｄに嵌め込まれている板材６を取り外して開口７を形成する。次に、予め用意された枠パッキン１５が装着された上部枠１０及び下部枠２０を開口７の寸法に合わせて切断する。上部枠１０と下部枠２０を切断後、上部枠１０及び下部枠２０に装着されている枠パッキン１５の端部を扉体８の縦枠３０と干渉しないように切り欠く。そして、上部枠１０、下部枠２０を既存の隔て板１の仕切り横枠５ｄ、下部横枠５ｂの中心に当て、ドリルで下孔をあけ、固定ねじ９ａ，９ｂによって、上部枠１０を仕切り横枠５ｄに固定し、下部枠２０を下部横枠５ｂに固定する。また、開口７を形成する一方の側枠５ａの中間部に扉体押え金具５０の支持部材５１を当て、ドリルで下孔をあけ、固定ねじ９ｄによって固定する。
【００４８】
一方、扉体８を構成する板材６を開口寸法に合わせて切断し、切断された板材６の両側縁部に縦枠３０，３０Ａを軽く叩いて扉嵌合溝３０ｂ内に板材６の側端部を嵌合して取り付ける。扉体８に取り付けられた一方の縦枠３０，３０Ａにおける扉体押え金具５０の押え部材５２が位置する部位に緩衝材５３を貼着する。また、扉体８の表裏面の両側辺における縦枠３０，３０Ａの上下対角位置にそれぞれ上・下取外し用穴３２ａ，３２ｂをあける。
【００４９】
上記のように構成された扉体８を開口７に取り付けるには、「けんどん式」で嵌め込む。すなわち、まず、扉体８に設けられた上・下取外し用穴３２ａ，３２ｂに工具６０の挿入部６４を挿入して、扉体８を持ち上げ、扉体８の上端部を上部枠１０の下向き凹溝１１内に差し込む。次いで、扉体８を垂直にして、扉体８の下端部を下部枠２０の上向き凹溝２１内に落とし込む。
【００５０】
開口７内に扉体８を嵌め込んだ後、上部枠１０に予め装着されたロック機構４０のカバー部材４７に設けられた鍵孔４７ｃに工具６０の操作軸部６３を挿入し、工具６０に設けられた係合部６２を回動板４１に設けられた操作突起４３に係合させた状態で工具６０によって回動板４１を鉛直方向に９０度回動して、アンロック位置にある扉体固定片４２を扉体８の上端部に移動して扉体８の上方への移動を阻止し、扉体８をロック状態にする。また、扉体８の取付時には起立状態であった扉体押え金具５０の押え部材５２を水平姿勢にして扉体８の表裏面を保持する。これにより扉体８の取り付けが完了する。
【００５１】
扉体８を取り外す場合は、上記の動作の逆動作を行って扉体８を取り外すことができる。すなわち、図１２（ａ）に示す扉体８の取付状態において、まず、工具６０の操作軸部６３をロック機構４０のカバー部材４７に設けられた鍵孔４７ｃに挿入し、工具６０に設けられた係合部６２を回動板４１に設けられた操作突起４３に係合させた状態で工具６０によって回動板４１を鉛直方向に９０度回動して、ロック位置にある扉体固定片４２を上方のアンロック位置に移動する。また、扉体押え金具５０の押え部材５２を水平姿勢から起立姿勢に切り換える（図１２（ｂ）参照）。
【００５２】
次に、扉体８に設けられた上・下取外し用穴３２ａ，３２ｂに工具６０の挿入部６４を挿入して、扉体８を垂直（鉛直）方向に持ち上げ、扉体８の下端部を下部枠２０の上向き凹溝２１の上方に移動する（図１２（ｂ）参照）。この状態で、扉体８の下端部を開口７の外側に移動し（図１２（ｃ）参照）、扉体８を斜め下方に移動して、扉体８の上端部を上部枠１０の下向き凹溝１１内から引き出して扉体８を開口７から取り外すことができる。
【００５３】
上記実施形態の隔て板１によれば、隔て板１を構成する両側枠５ａを残して開設される開口７の上下端部に固定される上部枠１０と下部枠２０との間に扉体をいわゆる「けんどん式」に嵌め込むことができるので、改修作業時には、開口７の全域を占める扉体８を取り外して広い通路開口を確保することができる。
【００５４】
また、ロック機構４０により、平常時には、ロック機構４０をロック状態にすることで、隣家間のプライバシーの保護が図れる。また、ベランダ等の空間のメンテナンス（防水、塗装等の改修作業）時には、ロック機構４０をアンロック状態にし、扉体８を取外して作業者の通行を可能にすることができるので、メンテナンス作業を容易に行うことができる。この場合、ロック機構４０は、上部枠１０の両側片１１ａに回動可能に装着される一対の回動板４１の外周部に連結される扉体固定片４２と、回動板４１の外面における偏心位置に突設される操作突起４３に係合して回動板４１と扉体固定片４２を扉体８のロック位置と、アンロック位置に切り換える特殊な工具を用いるので、扉体８が不用意に開閉することがないので、隣家間のプライバシーの保護が図れる。
【００５５】
また、扉体８の表裏面の両側辺における上下対角位置にそれぞれ設けられた２箇所の上・下取外し用穴３２ａ，３２ｂに工具６０の挿入部６４を挿入して、扉体８を上方に移動した後、斜め下方に移動して取り外すことができるので、隔て板１で区画された何れの側からでも容易に扉体８を取り外すことができる。
【００５６】
しかも、工具６０は、一端にロック機構４０の操作突起４３に係合する係合部６２を有し、他端に扉体８の上・下取外し用穴３２ａ，３２ｂに挿入可能な挿入部６４を有する専用工具とすることにより、１種類の工具を用いて、扉体８のロック、アンロック操作と、扉体８の取外しを行うことができるので、扉体８の取付（嵌め込み）、取外しを容易にすることができる。
【００５７】
更には、隔て板１の両側枠５ａの中間部に装着される起倒可能な扉体押え金具５０を設けることにより、扉体８の取付（嵌め込み）、取外しに支承を来すことがなく、通常時において扉体８の両面を扉体押え金具５０によって保持することができるので、風圧による扉体８のガタツキを抑制することができる。
【００５８】
なお、上記実施形態では既存の隔て板１に扉体８を取り付ける場合について説明したが、隔て板１の枠材５の仕切り横枠５ｃと上部枠１０とを一体に形成すれば、新規の隔て板１にも適用できることは勿論である。
【符号の説明】
【００５９】
１  隔て板
５  枠材
５ａ  側枠
６  板材
７  開口
８  扉体
１０  上部枠
１１  下向き凹溝
１５  枠パッキン
２０  下部枠
２１  上向き凹溝
３０，３０Ａ  縦枠
３１  扉パッキン
３２ａ  上取外し用穴
３２ｂ  下取外し用穴
４０  ロック機構
４１  回動板
４２  扉体固定片
４３  操作突起
５０  扉体押え金具
５１  支持部材
５２  押え部材
６０  工具
６２  係合部
６３  操作軸部
６４  挿入部
【図１】
0005660568.tif 000002
【図２】
0005660568.tif 000003
【図３】
0005660568.tif 000004
【図４】
0005660568.tif 000005
【図５】
0005660568.tif 000006
【図６】
0005660568.tif 000007
【図７】
0005660568.tif 000008
【図８】
0005660568.tif 000009
【図９】
0005660568.tif 000010
【図１０】
0005660568.tif 000011
【図１０Ａ】
0005660568.tif 000012
【図１１】
0005660568.tif 000013
【図１２】
0005660568.tif 000014